Podtech/llm-jp-corpus-v4-ja_patent huggingface dataset:
【手続補正書】
【提出日】平成17年11月7日(2005.11.7)
【手続補正１】
【補正対象書類名】明細書
【補正対象項目名】特許請求の範囲
【補正方法】変更
【補正の内容】
【特許請求の範囲】
【請求項１】  ランプを収容し該ランプの光を集光させるリフレクタの前面に取り付けられるランプホルダにおいて、
前記ランプホルダの前面に設けられ、前記ランプの光を外部に出射させる透光板と、
前記ランプホルダの側面に設けられ、該ランプに起因した蒸気を放出する開口と、
前記開口部分に配置され、前記ランプ破損時の破片が外部に飛散することを防止すると共に、前記ランプの中心から前記開口を通過して外部に至る放射状の仮想直線を遮り、かつ前記リフレクタ内部と外部の間で空気の流れを形成させる形状のリブと、
を備えたことを特徴とするランプホルダ。
【請求項２】  ランプを収容し該ランプの光を集光させるリフレクタの前面に取り付けられ、該ランプの光を外部に出射させるランプホルダにおいて、
前記ランプホルダの側面に設けられ、該ランプに起因した蒸気を放出する開口と、
前記開口部分に配置され、前記ランプ破損時の破片が外部に飛散することを防止すると共に、該開口から前記ランプを外部に露見させず、かつ前記リフレクタ内部と外部の間で空気の流れを形成させる形状のリブと、
を備えたことを特徴とするランプホルダ。
【請求項３】  前記リブは、前記開口の内部に設けられ、一つまたは複数個が屈曲して設けられることを特徴とする請求項１または２に記載のランプホルダ。
【請求項４】  前記リブは、前記開口から一部が外部に突出していることを特徴とする請求項１〜３のいずれか一つに記載のランプホルダ。
【請求項５】  前記リブは、前記開口から複数個突出し、該複数のリブのうち一つのリブの端部は上方向に折曲され、他のリブの端部は下方向に折曲されていることを特徴とする請求項４に記載のランプホルダ。
【請求項６】  前記開口は、ランプホルダの両側部にそれぞれ設けられ、該それぞれの開口は、外部の空気の流れ方向に向いていることを特徴とする請求項１〜５のいずれか一つに記載のランプホルダ。
【請求項７】  前記開口は、ランプホルダの両側部にそれぞれ設けられ、該各開口には、外部の空気の流れ方向の下流側に開いた開端を有するカバーがそれぞれ設けられていることを特徴とする請求項１〜５のいずれか一つに記載のランプホルダ。
【請求項８】  前記開口は、ランプホルダの両側部にそれぞれ設けられ、該一方の開口には、外部の空気の流れ方向の上流側に開いた開端を有するカバーが設けられ、他方の開口には、外部の空気の流れ方向の下流側に開いた開端を有するカバーが設けられていることを特徴とする請求項１〜５のいずれか一つに記載のランプホルダ。
【請求項９】  ランプホルダの下方に、外部の空気の流れ方向に向いた第２の開口を設けたことを特徴とする請求項１〜５のいずれか一つに記載のランプホルダ。
【手続補正２】
【補正対象書類名】明細書
【補正対象項目名】０００７
【補正方法】変更
【補正の内容】
【０００７】
【課題を解決するための手段】
上述の目的を達成するために、請求項１の発明にかかるランプホルダは、ランプを収容し該ランプの光を集光させるリフレクタの前面に取り付けられるランプホルダにおいて、前記ランプホルダの前面に設けられ、前記ランプの光を外部に出射させる透光板と、前記ランプホルダの側面に設けられ、該ランプに起因した蒸気を放出する開口と、前記開口部分に配置され、前記ランプ破損時の破片が外部に飛散することを防止すると共に、前記ランプの中心から前記開口を通過して外部に至る放射状の仮想直線を遮り、かつ前記リフレクタ内部と外部の間で空気の流れを形成させる形状のリブと、を備えたことを特徴とする。
【手続補正３】
【補正対象書類名】明細書
【補正対象項目名】０００９
【補正方法】変更
【補正の内容】
【０００９】
また、請求項２の発明にかかるランプホルダは、ランプを収容し該ランプの光を集光させるリフレクタの前面に取り付けられ、該ランプの光を外部に出射させるランプホルダにおいて、前記ランプホルダの側面に設けられ、該ランプに起因した蒸気を放出する開口と、前記開口部分に配置され、前記ランプ破損時の破片が外部に飛散することを防止すると共に、該開口から前記ランプを外部に露見させず、かつ前記リフレクタ内部と外部の間で空気の流れを形成させる形状のリブと、を備えたことを特徴とする。
【手続補正書】
【提出日】平成18年2月7日(2006.2.7)
【手続補正１】
【補正対象書類名】明細書
【補正対象項目名】請求項１
【補正方法】変更
【補正の内容】
【請求項１】
１本の光を２本の光に分岐するビームスプリッタを少なくとも２個備え、一方のビームスプリッタは固定のホルダ本体に支持され、他方のビームスプリッタはホルダ本体に可動に取付けられた可動ホルダに支持されたことを特徴とするビームスプリッタユニット。
【手続補正書】
【提出日】平成18年7月28日(2006.7.28)
【手続補正１】
【補正対象書類名】明細書
【補正対象項目名】特許請求の範囲
【補正方法】変更
【補正の内容】
【特許請求の範囲】
【請求項１】
対向する２枚の基板の間に液晶を封入し、前記基板に走査のための走査回路とデータ表示のためのデータ回路を搭載するとともに走査電極とデータ電極を形成して構成され、
動画を表示するための動画表示領域と、絵文字を表示するための絵文字表示領域を有する液晶表示装置において、
前記動画表示領域は、前記走査回路から出力される走査信号が前記走査電極に印加され、前記データ回路から出力されるデータ信号が前記データ電極に印加されて、時分割駆動により表示を行い、
前記絵文字表示領域は、いずれも前記データ回路から出力されるデータ信号が、前記データ電極の形成されたデータ電極形成基板に形成した絵文字電極と、該データ電極形成基板に対向する基板に形成した絵文字電極にそれぞれ印加されて表示を行うことを特徴とする液晶表示装置。
【請求項２】
請求項１に記載の液晶表示装置において、
前記データ回路から出力され前記データ電極形成基板側の絵文字電極に印加されるデータ信号の波形を、濃淡最大の場合の波形と異ならせることにより中間調の絵文字を表示することを特徴とする液晶表示装置。
【請求項３】
請求項１に記載の液晶表示装置において、
前記データ回路から出力され前記データ電極形成基板に対向する基板側の絵文字電極に印加されるデータ信号の波形を、濃淡最大の場合の波形と異ならせることにより中間調の絵文字を表示することを特徴とする液晶表示装置。
【請求項４】
請求項１に記載の液晶表示装置において、
前記データ回路と前記データ電極形成基板側の絵文字電極をつなぐ配線電極の抵抗値の調節によって中間調の絵文字を表示することを特徴とする液晶表示装置。
【請求項５】
請求項１に記載の液晶表示装置において、
前記データ回路と前記データ電極形成基板に対向する基板側の絵文字電極をつなぐ配線電極の抵抗値の調節によって中間調の絵文字を表示することを特徴とする液晶表示装置。
【請求項６】
請求項１に記載の液晶表示装置において、
前記データ回路から出力されるデータ信号を前記データ電極形成基板に対向する基板側
の絵文字電極に入力信号として印加するためのＦＰＣを設け、
前記データ信号を前記ＦＰＣに接続するための対向配線電極を前記データ電極形成基板に形成し、
前記ＦＰＣは外部からの走査入力信号を前記走査回路へ入力するのための配線電極と、外部からのデータ入力信号を前記データ回路へ入力するのための配線電極と、前記データ回路から出力されるデータ信号を前記データ電極形成基板に対向する基板側の絵文字電極へ入力するための配線電極を片面に形成してあることを特徴とする液晶表示装置。
【手続補正２】
【補正対象書類名】明細書
【補正対象項目名】０００８
【補正方法】変更
【補正の内容】
【０００８】
【課題を解決するための手段】
本発明は上記課題を解決するために、走査のための走査回路が搭載されている走査側基板と、データ表示のためのデータ回路が搭載されたデータ側基板と、該走査側基板と該データ側基板の間に封入された液晶から構成され、動画を表示するための動画表示領域と、絵文字を表示するための絵文字表示領域を有する液晶表示装置において、該動画表示領域は、該走査側基板に形成された走査電極に印加される該走査回路から出力される走査信号と、該データ側基板に形成されたデータ電極に印加される該データ駆動回路から出力されるデータ信号によって時分割駆動表示され、該絵文字表示領域は、該データ側基板に形成されたデータ側絵文字電極に印加される該データ回路から出力されるデータ信号と、該走査側基板に形成された走査側絵文字電極に印加される該データ回路から出力されるデータ信号によって表示され、該データ側絵文字電極に印加される該データ回路から出力されるデータ信号を所定の波形に変更することによって中間調の絵文字を表示し、あるいは該走査側絵文字電極に印加される該データ回路から出力されるデータ信号を所定の波形に変更することによって中間調の絵文字を表示し、該データ側絵文字電極に至る配線電極の抵抗値を調節することによって中間調の絵文字を表示し、あるいは該走査側絵文字電極に至る配線電極の抵抗を調節することによって中間調の絵文字を表示し、該走査側絵文字電極に印加される該データ回路から出力されるデータ信号を該走査回路側に引き出すための対向配線電極を該データ側基板に形成し、該走査回路へ入力される走査入力信号のための電極、該データ側回路へ入力されるデータ入力信号のための電極および該走査側絵文字電極へ入力される入力信号のための電極が片側の面に形成されるＦＰＣを備える。
【手続補正３】
【補正対象書類名】明細書
【補正対象項目名】００１７
【補正方法】変更
【補正の内容】
【００１７】
上述の液晶表示装置においては、走査電極群１２２とデータ電極群１２５間の液晶を時分割駆動表示する動画領域１０７と、絵文字下電極１０９と絵文字Ａ電極１１１および絵文字Ｂ電極１１０間の液晶をスタティック駆動表示する絵文字領域１０８に分けられる。
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  給紙装置が着脱可能な画像形成装置において、
前記画像形成装置に装着された前記給紙装置から給紙されたシートを搬送するシート搬送手段と、
画像を形成するための画像形成手段と、
前記画像形成手段で形成された画像を担持するための中間転写体と、
前記中間転写体上の画像を転写するための転写手段と、前記給紙装置に収容されたシートの残量が所定量よりも少ない場合に、該給紙装置から送信される前記シートの残量に関する情報に基づいて、前記シート搬送手段のシート搬送動作と前記給紙装置の給紙動作と前記中間転転写体上における画像形成間隔とを制御する制御手段と、を有する
ことを特徴とする画像形成装置。
【請求項２】  前記画像形成装置に対する前記給紙装置の接続位置を判定する判定手段を有し、
前記制御手段は、前記判定手段の判定結果に応じて、前記給紙間隔に関する情報に基づいて前記画像形成間隔を設定するか否かを決定することを特徴とする請求項１に記載の画像形成装置。
【請求項３】  シートを搬送するシート搬送手段と、画像を形成するための画像形成手段と、前記画像形成手段で形成された画像を担持するための中間転写体と、前記中間転写体上の画像を転写するための転写手段と、を有する画像形成装置に着脱可能な給紙装置であって、
前記給紙装置内に収容されるシートの残量を検知する残量検知手段と、
前記給紙装置のシートの給紙動作を制御する給紙装置制御部と、を有し、
前記給紙装置制御部は、前記残量検知手段によって前記シートの残量が所定量よりも少ないと検知された場合に、前記画像形成装置に対して、前記前記シート搬送手段のシート搬送動作と前記給紙装置の給紙動作と前記中間転転写体上における画像形成間隔とを制御するための前記シートの残量に係る情報を送信することを特徴とする給紙装置。
【手続補正２】
【補正対象書類名】明細書
【補正対象項目名】００１６
【補正方法】変更
【補正の内容】
【００１６】
画像形成装置１は、画像形成部２として、像担持体である感光ドラム１１上にトナー像を形成する画像形成部２Ｙ、２Ｍ、２Ｃ、２Ｂｋと、画像形成部２Ｙ、２Ｍ、２Ｃ、２Ｂｋにそれぞれ担持されたトナー像を重ねて１次転写するための中間転写ベルト３と、中間転写ベルト３上に重ね合わせて１次転写されたトナー像を２次転写位置Ｎ２に搬送されるシートＳに２次転写するための２次転写ローラ４と、２次転写位置にてシートＳに転写されたトナー像を加圧しつつ熱定着させる定着器１４を有する。
【手続補正３】
【補正対象書類名】明細書
【補正対象項目名】００１８
【補正方法】変更
【補正の内容】
【００１８】
また、画像形成装置１は、定着器１４によりトナー像が定着されたシートＳを画像形成装置１の外部に排出するための排出ローラ対１５と、画像形成装置１の外部に排出されたシートＳを積載する排出トレイ１６を備える。
【手続補正４】
【補正対象書類名】図面
【補正対象項目名】図２
【補正方法】変更
【補正の内容】
【図２】
2004299897.tif 000001
【手続補正書】
【提出日】平成18年2月23日(2006.2.23)
【手続補正１】
【補正対象書類名】明細書
【補正対象項目名】特許請求の範囲
【補正方法】変更
【補正の内容】
【特許請求の範囲】
【請求項１】  排出されたシートの積載量を検知する積載量検知手段を備えた画像形成装置の装置本体に着脱可能に装着されて前記装置本体から排出されたシートに処理を施すシート後処理装置であって、
前記装置本体に装着されたとき、前記積載量検知手段を非作動状態にする非作動手段を備えたことを特徴とするシート後処理装置。
【請求項２】  前記装置本体に装着されたとき、前記積載量検知手段を受け入れる受け入れ部を備えていることを特徴とする請求項１に記載のシート後処理装置。
【請求項３】  前記非作動手段は、前記積載量検知手段を非作動状態にする作動部材であることを特徴とする請求項１に記載のシート後処理装置。
【請求項４】  排出されたシートの積載量を検知する積載量検知手段を備えた画像形成装置の装置本体に着脱可能に装着されて前記装置本体から排出されたシートに処理を施すシート後処理装置であって、
前記装置本体に装着されたとき、前記積載量検知手段のシート検知信号を断つ信号遮断手段を備えたことを特徴とするシート後処理装置。
【請求項５】 前記積載量検知手段は、前記シートの満載を検知するシート満載検知手段であることを特徴とする請求項１乃至４のいずれか１項に記載のシート後処理装置。
【請求項６】  シートに画像を形成する画像形成手段と、
前記画像形成手段によって画像を形成して排出したシートの積載量を検知する積載量検知手段と、
着脱可能に装置本体に設けられて前記画像形成手段によって画像を形成されたシートに後処理を施すシート後処理装置と、を備え、
前記シート後処理装置は、請求項１又は４に記載のシート後処理装置であることを特徴とする画像形成装置。
【請求項７】 前記積載量検知手段は、前記シートの積載量に応じて位置が変わる検知部材と、前記検知部材を検知するセンサとを有していることを特徴とする請求項６に記載の画像形成装置。
【請求項８】 前記検知部材は、待機している待機領域と、前記シートを検知する検知領域と、前記待機領域及び前記検知領域から外れた非検知領域とのいずれかの領域に位置し、前記シート後処理装置の非作動手段によって前記非検知領域に位置させられることを特徴とする請求項６又は７に記載の画像形成装置。
【請求項９】 前記検知部材は、前記シート後処理装置の非作動手段によって前記検知領域を通過させられて前記非検知領域に移らされることが可能な請求項７又は８に記載の画像形成装置。
【請求項１０】 前記検知部材は、固定軸を中心に回転する回動片であることを特徴とする請求項７乃至９のいずれか１項に記載の画像形成装置。
【請求項１１】 前記検知部材は、前記シート後処理装置が前記装置本体に装着されたときシートを案内する案内部材と兼用されることを特徴とする請求項６乃至１０のいずれか１項に記載の画像形成装置。
【請求項１２】 前記センサは、前記シート後処理装置の非作動手段によって、前記センサが前記検知部材を検知する検知領域から外れた非検知領域に移動可能であることを特徴とする請求項６に記載の画像形成装置。
【請求項１３】 前記積載量検知手段は、前記シートの満載を検知するシート満載検知手段であることを特徴とする請求項６又は７に記載の画像形成装置。
【請求項１４】 前記シート後処理装置と前記装置本体との間に設けられて、前記シート後処理装置を前記装置本体に対して水平方向に移動可能に連結する移動ガイド手段を備えたことを特徴とする請求項６乃至１３のいずれか１項に記載の画像形成装置。
【請求項１５】 前記シート後処理装置と前記装置本体との間に設けられて、前記シート後処理装置を前記装置本体に対して水平方向に回動可能に連結する回動ガイド手段を備えたことを特徴とする請求項６乃至１３のいずれか１項に記載の画像形成装置。
【手続補正２】
【補正対象書類名】明細書
【補正対象項目名】００６４
【補正方法】削除
【補正の内容】
【手続補正３】
【補正対象書類名】明細書
【補正対象項目名】００６５
【補正方法】削除
【補正の内容】
【手続補正４】
【補正対象書類名】明細書
【補正対象項目名】００６６
【補正方法】削除
【補正の内容】
【手続補正５】
【補正対象書類名】明細書
【補正対象項目名】００６７
【補正方法】削除
【補正の内容】
【手続補正６】
【補正対象書類名】明細書
【補正対象項目名】００６８
【補正方法】削除
【補正の内容】
【手続補正７】
【補正対象書類名】明細書
【補正対象項目名】００６９
【補正方法】削除
【補正の内容】
【手続補正８】
【補正対象書類名】明細書
【補正対象項目名】００７０
【補正方法】削除
【補正の内容】
【手続補正９】
【補正対象書類名】明細書
【補正対象項目名】００７１
【補正方法】削除
【補正の内容】
【手続補正１０】
【補正対象書類名】明細書
【補正対象項目名】００７２
【補正方法】削除
【補正の内容】
【手続補正１１】
【補正対象書類名】明細書
【補正対象項目名】００７３
【補正方法】削除
【補正の内容】
【手続補正１２】
【補正対象書類名】明細書
【補正対象項目名】００７４
【補正方法】削除
【補正の内容】
【手続補正１３】
【補正対象書類名】明細書
【補正対象項目名】００７５
【補正方法】削除
【補正の内容】
【手続補正１４】
【補正対象書類名】明細書
【補正対象項目名】００７６
【補正方法】削除
【補正の内容】
【手続補正１５】
【補正対象書類名】明細書
【補正対象項目名】００７７
【補正方法】削除
【補正の内容】
【手続補正１６】
【補正対象書類名】明細書
【補正対象項目名】００７８
【補正方法】削除
【補正の内容】
【手続補正１７】
【補正対象書類名】明細書
【補正対象項目名】００７９
【補正方法】削除
【補正の内容】
【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】
シートを、上記シートの面に平行で、搬送方向に対して垂直な幅方向に沿って、位置規制可能に構成された位置規制手段と、
上記シートの幅方向に沿った側端部を、上記位置規制手段に押圧して、斜送搬送可能に構成された搬送手段と、
上記シートの両面および側端部を給送方向に沿ってガイド可能に構成された第１のガイド部材と、
上記第１のガイド部材より耐磨耗性が高い第２のガイド部材とを有するとともに、上記シートに画像を形成可能に構成された画像形成手段の下流側に位置し、
上記第１のガイド部材の上流側に、上記シートの給送方向に対して角度をなして形成されるテーパ部が設けられ、
上記テーパ部の始まる変曲点または上記変曲点近傍に、上記第２のガイド部材が配置されている
ことを特徴とするシート搬送装置。
【請求項２】
上記搬送手段は、搬送ローラおよび斜送コロとを有して構成されていることを特徴とする請求項１記載のシート搬送装置。
【請求項３】
上記第１のガイド部材にモールドが用いられるとともに、上記第２のガイド部材に金属ピンが用いられ、上記金属ピンと上記第１のガイド部材とが一体に構成され、上記位置規制手段が、上記金属ピンの外周面が上記第１のガイド部材から上記シート搬送部側に突出して構成されていることを特徴とする請求項１記載のシート搬送装置。
【請求項４】
上記第１のガイド部材にモールドが用いられるとともに、上記第２のガイド部材に板金によりシートの両面および側端部を搬送方向にガイドする板金ガイドが用いられ、上記板金ガイドと上記第１のガイド部材とが一体に構成され、上記位置規制手段が、上記板金ガイドの下流側の一端が上記第１のガイド部材より上記シート搬送部側に突出して構成されていることを特徴とする請求項１記載のシート搬送装置。
【請求項５】
画像形成装置に対して着脱自在に構成されていることを特徴とする請求項１乃至４のいずれか１項記載のシート搬送装置。
【請求項６】
上記画像形成装置から搬入されたシートを反転可能に構成されているとともに、上記画像形成手段により上記シートの両面に印刷を実行するために、上記シートを上記画像形成手段に再度給送可能に構成されていることを特徴とする請求項１乃至４のいずれか１項記載のシート搬送装置。
【請求項７】
上記画像形成手段と、
請求項１乃至６のいずれか１項記載のシート搬送装置とを備えている
ことを特徴とする画像形成装置。
【手続補正２】
【補正対象書類名】明細書
【補正対象項目名】００５６
【補正方法】削除
【補正の内容】
【手続補正３】
【補正対象書類名】明細書
【補正対象項目名】００５７
【補正方法】削除
【補正の内容】
【手続補正４】
【補正対象書類名】明細書
【補正対象項目名】００５８
【補正方法】削除
【補正の内容】
【手続補正５】
【補正対象書類名】明細書
【補正対象項目名】００５９
【補正方法】削除
【補正の内容】
【手続補正６】
【補正対象書類名】明細書
【補正対象項目名】００６０
【補正方法】削除
【補正の内容】
【手続補正７】
【補正対象書類名】明細書
【補正対象項目名】００６１
【補正方法】削除
【補正の内容】
【手続補正８】
【補正対象書類名】明細書
【補正対象項目名】００６２
【補正方法】削除
【補正の内容】
【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  シートを排出手段によりシート積載手段上に排出するシート排出装置において、
前記排出手段により前記シート積載手段に排出されたシートの排出方向後端に当接し、前記シートの後端位置を規制する後端規制部材と、
前記後端規制部材に当接した前記シートの後端部を上方より押圧する上下方向に回動可能な押さえ部材と、
を備え、
前記押さえ部材が、前記シートを排出する際には前記シートにより押圧されて上方回動し、前記シート排出後は下方回動して前記シートの後端部を上方より押圧するよう、前記押さえ部材を前記排出手段の近傍で、かつ前記排出手段により排出されるシートの上方に回動自在に軸支すると共に、前記後端規制部材には、前記押さえ部材が上下方向に回動する際、前記押さえ部材の回動を可能とするよう上下方向に延び、かつ上方が開口された切り欠き部が設けられていることを特徴とするシート排出装置。
【請求項２】  前記シート積載手段上のシートを押圧する際の前記押さえ部材の角度に基づき前記シート積載手段上のシート積載高さを検知することを特徴とする請求項１記載のシート排出装置。
【請求項３】  画像が形成されたシートを処理する処理手段と、前記請求項１又は２記載のシート排出装置とを備えたことを特徴とするシート処理装置。
【請求項４】  前記シート積載手段は、前記処理手段により処理されるシートを積載する処理トレイであることを特徴とする請求項３記載のシート処理装置。
【請求項５】  前記シート積載手段は、前記処理手段により処理された後のシートを積載する排紙トレイであることを特徴とする請求項３又は４記載のシート処理装置。
【請求項６】  画像形成部と、前記請求項３乃至５のいずれか１項に記載のシート処理装置とを備えたことを特徴とする画像形成装置。
【請求項７】  前記シート積載手段は、画像形成装置本体に設けられ、前記シート処理装置により処理を行わないシートを積載する排紙トレイであることを特徴とする請求項６記載の画像形成装置。
【手続補正２】
【補正対象書類名】明細書
【補正対象項目名】０００９
【補正方法】変更
【補正の内容】
【０００９】
【課題を解決するための手段】
本発明は、シートを排出手段によりシート積載手段上に排出するシート排出装置において、前記排出手段により前記シート積載手段に排出されたシートの排出方向後端に当接し、前記シートの後端位置を規制する後端規制部材と、前記後端規制部材に当接した前記シートの後端部を上方より押圧する上下方向に回動可能な押さえ部材と、を備え、前記押さえ部材が、前記シートを排出する際には前記シートにより押圧されて上方回動し、前記シート排出後は下方回動して前記シートの後端部を上方より押圧するよう、前記押さえ部材を前記排出手段の近傍で、かつ前記排出手段により排出されるシートの上方に回動自在に軸支すると共に、前記後端規制部材には、前記押さえ部材が上下方向に回動する際、前記押さえ部材の回動を可能とするよう上下方向に延び、かつ上方が開口された切り欠き部が設けられていることを特徴とするものである。
【手続補正３】
【補正対象書類名】明細書
【補正対象項目名】００１０
【補正方法】削除
【補正の内容】
【手続補正書】
【提出日】平成18年2月22日(2006.2.22)
【手続補正１】
【補正対象書類名】明細書
【補正対象項目名】請求項１
【補正方法】変更
【補正の内容】
【請求項１】
下記成分（ａ１）〜（ａ３）を反応させて得られるウレタン（メタ）アクリレート化合物（Ａ）、
（ａ１）ポリブタジエングリコール及び／又はポリイソプレングリコール
（ａ２）脂環式有機ジイソシアネート化合物
（ａ３）ヒドロキシ基含有（メタ）アクリル酸エステル
下記一般式（Ｉ）で示される化合物（Ｂ）、及びその他のエチレン性不飽和化合物（Ｃ）を含有する、光ディスク用活性エネルギー線硬化性組成物。
【化１】
2004299263.tif 000001
（式中、Ｒ１は脂環式ジイソシアネート残基を示し、Ｒ２はアルキレン基もしくはシクロアルキレン基、又はエステル結合を含む有機基を示し、Ｒ３は水素原子又はメチル基を示す。）
【手続補正２】
【補正対象書類名】明細書
【補正対象項目名】００１１
【補正方法】変更
【補正の内容】
【００１１】
【化２】
2004299263.tif 000002
（式中、Ｒ１は脂環式ジイソシアネート残基を示し、Ｒ２はアルキレン基もしくはシクロアルキレン基、又はエステル結合を含む有機基を示し、Ｒ３は水素原子又はメチル基を示す。）
及びそれを硬化させて得られる光ディスクにある。
【手続補正３】
【補正対象書類名】明細書
【補正対象項目名】００３０
【補正方法】変更
【補正の内容】
【００３０】
（式中、Ｒ１は脂環式ジイソシアネート残基を示し、Ｒ２はアルキレン基もしくはシクロアルキレン基、又はエステル結合を含む有機基を示し、Ｒ３は水素原子又はメチル基を示す。）
【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】
【請求項１】  温水及び／又は蒸気により空間内壁全面および空間内に設置された装置表面が湿熱加熱されるとともに無菌エアーにより陽圧保持される無菌閉鎖空間にプラスチックボトルを導入し、前記プラスチックボトルの少なくとも内面を温水及び／又は蒸気により湿熱加熱殺菌し、次いで殺菌済みプラスチックボトルに殺菌済みミネラルウォーターを充填し、プラスチックボトルの口部を密封することを特徴とするプラスチックボトル詰めミネラルウォーターの製造方法。
【請求項２】  前記無菌閉鎖空間に導入されるプラスチックボトルは、外面を温水及び／又は蒸気による湿熱加熱殺菌された後に無菌閉鎖空間内に導入されることを特徴とする請求項１に記載のプラスチックボトル詰めミネラルウォーターの製造方法。
【請求項３】  前記無菌閉鎖空間に導入されるプラスチックボトルの外面殺菌の工程は、温水噴出ノズルまたは蒸気噴出ノズルより温水及び／又は蒸気を該プラスチックボトルに噴出させ、該プラスチックボトルの外面温度が６５度以上９６℃未満となるように湿熱加熱殺菌することにより行われることを特徴とする請求項２に記載のプラスチックボトル詰めミネラルウォーターの製造方法。
【請求項４】  前記無菌閉鎖空間に導入されるプラスチックボトルの外面殺菌は、前記無菌閉鎖空間に連通し、プラスチックボトルの搬入・搬出口が設けられた外面殺菌室内で行われることを特徴とする請求項２または３に記載のプラスチックボトル詰めミネラルウォーターの製造方法。
【請求項５】  前記外面殺菌室は、水蒸気で満たされていることを特徴とする請求項４に記載のプラスチックボトル詰めミネラルウォーターの製造方法。
【手続補正２】
【補正対象書類名】明細書
【補正対象項目名】００１２
【補正方法】削除
【補正の内容】
【手続補正書】
【提出日】平成17年12月20日(2005.12.20)
【手続補正１】
【補正対象書類名】明細書
【補正対象項目名】特許請求の範囲
【補正方法】変更
【補正の内容】
【特許請求の範囲】
【請求項１】
廃棄物収集作業を支援する方法であって、
コンピュータを用いて、
廃棄物を収集し運搬する複数の廃棄物収集運搬業者に関連付けられた、廃棄物収集運搬車両毎の収集運搬開始地点の収集開始位置情報及び収集運搬終了地点の収集終了位置情報を取得するステップと、
収集する廃棄物の廃棄物位置情報、前記収集する廃棄物の重量情報、及び前記収集する廃棄物の取扱金額情報を取得する、廃棄物情報取得ステップと、
前記収集開始位置情報、前記収集終了位置情報、前記廃棄物位置情報、前記重量情報、前記取扱金額情報、及び地図情報に基づいて、収集運搬時に個々の廃棄物収集運搬車両の移動距離が最短となるように収集運搬経路を決定する経路決定ステップとを実行する廃棄物収集支援方法。
【請求項２】
前記経路決定ステップでは、個々の廃棄物収集運搬車両が収集する廃棄物の総重量が、予め定められた値となるように当該廃棄物の収集運搬経路を決定する、請求項１に記載の廃棄物収集支援方法。
【請求項３】
前記経路決定ステップでは、個々の廃棄物収集運搬車両が収集する廃棄物の総取扱金額が、予め定められた値となるように当該廃棄物の収集運搬経路を決定する、請求項１または２に記載の廃棄物収集支援方法。
【請求項４】
前記廃棄物情報取得ステップでは、個々の廃棄物収集運搬車両が収集する廃棄物の種別情報を取得し、
前記経路決定ステップでは、前記廃棄物の種別情報に応じて、当該廃棄物の収集運搬経路を決定する、請求項１から３の何れかに記載の廃棄物収集支援方法。
【請求項５】
前記決定した当該廃棄物の収集運搬経路を、廃棄物収集運搬車両ないし廃棄物収集運搬業者に備えられる端末に出力するステップをさらに備える、請求項１から４の何れかに記載の廃棄物収集支援方法。
【請求項６】
廃棄物収集作業を支援するプログラムであって、
廃棄物を収集し運搬する複数の廃棄物収集運搬業者に関連付けられた、廃棄物収集運搬
車両毎の収集運搬開始地点の収集開始位置情報及び収集運搬終了地点の収集終了位置情報を取得するステップと、
収集する廃棄物の廃棄物位置情報、前記収集する廃棄物の重量情報、及び前記収集する廃棄物の取扱金額情報を取得する、廃棄物情報取得ステップと、
前記収集開始位置情報、前記収集終了位置情報、前記廃棄物位置情報、前記重量情報、前記取扱金額情報、及び地図情報に基づいて、収集運搬時に個々の廃棄物収集運搬車両の移動距離が最短となるように収集運搬経路を決定する経路決定ステップとを備えるコンピュータで実行可能な廃棄物収集支援プログラム。
【請求項７】
前記経路決定ステップでは、
個々の廃棄物収集運搬車両が収集する廃棄物の総重量が、予め定められた値となるように当該廃棄物の収集運搬経路を決定する、請求項６に記載の廃棄物収集支援プログラム。
【請求項８】
前記経路決定ステップでは、
個々の廃棄物収集運搬車両が収集する廃棄物の総取扱金額が、予め定められた値となるように当該廃棄物の収集運搬経路を決定する、請求項６または７に記載の廃棄物収集支援プログラム。
【請求項９】
前記廃棄物情報取得ステップでは、
個々の廃棄物収集運搬車両が収集する廃棄物の種別情報を取得し、
前記経路決定ステップでは、
前記廃棄物の種別情報に応じて、当該廃棄物の収集運搬経路を決定する、請求項６から８の何れかに記載の廃棄物収集支援プログラム。
【請求項１０】
前記決定した当該廃棄物の収集運搬経路を、廃棄物収集運搬車両ないし廃棄物収集運搬業者に備えられる端末に出力するステップをさらに備える、請求項６から９の何れかに記載の廃棄物収集支援プログラム。
【請求項１１】
廃棄物収集作業を支援する装置であって、
廃棄物を収集し運搬する複数の廃棄物収集運搬業者に関連付けられた、廃棄物収集運搬車両毎の収集運搬開始地点の収集開始位置情報及び収集運搬終了地点の収集終了位置情報を取得する手段と、
収集する廃棄物の廃棄物位置情報、前記収集する廃棄物の重量情報、及び前記収集する廃棄物の取扱金額情報を取得する、廃棄物情報取得手段と、
前記収集開始位置情報、前記収集終了位置情報、前記廃棄物位置情報、前記重量情報、前記取扱金額情報、及び地図情報に基づいて、収集運搬時に個々の廃棄物収集運搬車両の移動距離が最短となるように収集運搬経路を決定する経路決定手段とを有する廃棄物収集支援装置。
【請求項１２】
前記経路決定手段では、個々の廃棄物収集運搬車両が収集する廃棄物の総重量が、予め定められた値となるように当該廃棄物の収集運搬経路を決定する、請求項１１に記載の廃棄物収集支援装置。
【請求項１３】
前記経路決定手段では、個々の廃棄物収集運搬車両が収集する廃棄物の総取扱金額が、予め定められた値となるように当該廃棄物の収集運搬経路を決定する、請求項１１または１２に記載の廃棄物収集支援装置。
【請求項１４】
前記廃棄物情報取得手段では、個々の廃棄物収集運搬車両が収集する廃棄物の種別情報を取得し、
前記経路決定手段では、前記廃棄物の種別情報に応じて、当該廃棄物の収集運搬経路を
決定する、請求項１１から１３の何れかに記載の廃棄物収集支援装置。
【請求項１５】
前記決定した当該廃棄物の収集運搬経路を、廃棄物収集運搬車両ないし廃棄物収集運搬業者に備えられる端末に出力する手段をさらに有する、請求項１１から１４の何れかに記載の廃棄物収集支援装置。
【手続補正書】
【提出日】平成17年12月16日(2005.12.16)
【手続補正１】
【補正対象書類名】明細書
【補正対象項目名】００３７
【補正方法】変更
【補正の内容】
【００３７】
【発明の効果】
本発明の金属酸化物固溶酸水酸化セリウムは、優れた紫外線遮断性を有し、白色でかつ透明性をも併せ持っており、また酸化セリウムが有する触媒活性が低減されている。そのため、樹脂組成物や化粧料に配合して、それらの色調を変化させることなく、優れた紫外線遮断効果を付与することができる。
【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  成形空間を画成する成形ユニットを着脱可能に備えた１つのカセット型又は同一形状に構成された複数のカセット型と、該カセット型を着脱自在に収容する１又は複数のカセット型収容部と、射出成形装置の金型取付部に接続可能に構成された主型枠体と、
前記主型枠体に設けられたスプルー通路と、
前記スプルー通路に連通して前記成形空間側に伸びるランナ通路とを有し、該ランナ通路の上流側通路部を備えたランナ枠と、
前記上流側通路部に連通するとともに前記成形空間側に伸びる下流側通路部を備えた、前記ランナ枠に着脱可能なランナコアとを有することを特徴とする射出成形用金型。
【請求項２】  前記ランナコアは、前記カセット型の型面範囲において前記ランナ枠に設けられた収容空間に対して着脱可能に嵌合することを特徴とする請求項１に記載の射出成形用金型。
【請求項３】  前記主型枠体には、前記ランナ通路に臨むランナロックピンが前記カセット型の型面範囲内に均等に分散形成されていることを特徴とする請求項１又は２に記載の射出成形用金型。
【請求項４】  前記カセット型は、共同して前記成形空間を画成する開閉可能な一対の構成部を有し、該一対の構成部には相互の開閉動作を案内するガイド手段が設けられ、前記ガイド手段は、相互に嵌合可能に構成された、一方の前記構成部の外縁部に設けられた凸部と、他方の前記構成部の外縁部において外側に開いた形状の凹部により構成されることを特徴とする請求項１に記載の射出成形用金型。
【請求項５】  前記成形空間に連通するランナ通路を備えたランナ形成部が着脱可能に設けられ、前記主型枠体には、型面に沿って進退自在に構成され、前進位置にて前記ランナ形成部を係合保持し、後退位置にて前記ランナ形成部を解放する係合保持部材が設けられていることを特徴とする請求項１に記載の射出成形用金型。
【請求項６】  前記ランナ形成部は、前記カセット型の少なくとも一つの構成部を前記主型枠体に保持固定していることを特徴とする請求項５に記載の射出成形用金型。
【請求項７】  前記主型枠体に設けられたスプルー通路と、該スプルー通路に連通して前記成形空間側に伸びるランナ通路とを有し、前記スプルー通路と前記ランナ通路との境界領域に、通路内に突出する凸部が形成されていることを特徴とする請求項１に記載の射出成形用金型。
【請求項８】  前記凸部は前記スプルー通路と同軸にその上流側に向けて突設された先細形状を有することを特徴とする請求項７に記載の射出成形用金型。
【請求項９】  前記主型枠体に設けられたスプルー通路と、該スプルー通路に連通して前記カセット型の型面範囲まで伸びるランナ通路とを有し、該ランナ通路は、前記スプルー通路から前記カセット型の型面範囲の中心部まで伸びる上流側ランナ通路と、該上流側ランナ通路に連通し、前記中心部から周囲に伸びる複数の下流側ランナ通路とを有することを特徴とする請求項１に記載の射出成形用金型。
【請求項１０】  複数種類の請求項１乃至９のいずれか一項に記載の射出成形用金型を含み、前記複数種類の前記射出成形用金型の前記主型枠体は、相互に前記射出成形装置の前記金型取付部に対して同一の前記取付構造を備えていることを特徴とする射出成形用金型セット。
【請求項１１】  請求項１乃至９のいずれか一項に記載の射出成形用金型と、前記主型枠体の前記取付構造に対応する前記金型取付部とを有することを特徴とする射出成形装置。
【手続補正２】
【補正対象書類名】明細書
【補正対象項目名】０００８
【補正方法】変更
【補正の内容】
【０００８】
【課題を解決するための手段】
上記課題を解決するため、本発明の射出成形用金型は、成形空間を画成する成形ユニットを着脱可能に備えた１つのカセット型又は同一形状に構成された複数のカセット型と、該カセット型を着脱自在に収容する１又は複数のカセット型収容部と、射出成形装置の金型取付部に接続可能に構成された主型枠体と、前記主型枠体に設けられたスプルー通路と、前記スプルー通路に連通して前記成形空間側に伸びるランナ通路とを有し、該ランナ通路の上流側通路部を備えたランナ枠と、前記上流側通路部に連通するとともに前記成形空間側に伸びる下流側通路部を備えた、前記ランナ枠に着脱可能なランナコアとを有することを特徴とする。
【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】
遊技機の遊技盤面に対し植設された釘の盤面に対する角度を測定するための遊技機用釘角度測定装置であって、
前記盤面に当接可能な当接面を有する固定手段と、
前記固定手段に対し、傾動調節可能に軸支された可動手段と、
前記固定手段及び可動手段の少なくとも一方に設けられ、基準位置及び該基準位置よりも前記可動手段が傾動された位置間の角度を計測するための角度計測手段とを備え、かつ、前記固定手段には、前記釘の少なくとも幹部に当接可能な複数の釘当接部が設けられていることを特徴とする遊技機用釘角度測定装置。
【請求項２】
前記角度計測手段は、前記固定手段又は可動手段のいずれか一方に設けられた位置表示部と、いずれか他方に設けられた角度表示部とによって構成されていることを特徴とする請求項１に記載の遊技機用釘角度測定装置。
【請求項３】
前記位置表示部又は角度表示部のうち、前記固定手段に設けられたいずれか一方は、前記可動手段が前記基準位置にある場合に前記固定手段に対し位置決め固定可能となっていることを特徴とする請求項２に記載の遊技機用釘角度測定装置。
【請求項４】
前記固定手段は、前記当接面と、それ以外の曲面又は複数の面とを有しており、前記釘当接部は、前記曲面の異なる位置又は複数の面に設けられていることを特徴とする請求項１乃至３のいずれかに記載の遊技機用釘角度測定装置。
【請求項５】
前記釘当接部は、前記釘の幹部の周面形状の一部に適合するほぼ直線状の凹溝であることを特徴とする請求項１乃至４のいずれかに記載の遊技機用釘角度測定装置。
【請求項６】
前記固定手段及び可動手段の少なくとも一方には、前記可動部材を傾動調節するための傾動調節手段を設けたことを特徴とする請求項１乃至５のいずれかに記載の遊技機用釘角度測定装置。
【請求項７】
前記可動手段は、自身が基準位置にあることを報知するための報知手段を備えていることを特徴とする請求項１乃至６のいずれかに記載の遊技機用釘角度測定装置。
【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】
賞品球として払出された遊技球を誘導する払出誘導部と、遊技盤面に発射できなかったファール球を誘導するファール球排出部と、前記払出誘導部の先端である払出排出部から排出された遊技球及び前記ファール球排出部から排出された遊技球を誘導する流入樋と、該誘導樋によって誘導された遊技球が流入する遊技球貯留部が形成された樹脂製の主要構成部材に外殻をなす樹脂製の表面構成部材を取り付けた構造で内枠の下方に装着された下皿ユニットとを備えた弾球遊技機において、
前記内枠の背面に沿って前記ファール球排出部を配し、その背後に重なるようにして前記払出排出部を配し、
前記流入樋は、底面と左右及び後の３壁面とからなり、前記遊技球貯留部に連通して前記主要構成部材に設けられた流入口との連接部と、前記払出排出部から落下してくる遊技球及び前記ファール球排出部から落下してくる遊技球を流入させるための上部とが開口した略箱状で、前記流入口に一体に設けられることで前記主要構成部と一体化されて、該流入口の軸に沿って前記主要構成部の背後に突出しており、
前記流入樋の前記落下してくる遊技球を流入させるための上部の開口の奥行き寸法は、前記重なり合った前記ファール球排出部と前記払出排出部の合計奥行き寸法に対応している
ことを特徴とする弾球遊技機。
【手続補正２】
【補正対象書類名】明細書
【補正対象項目名】０００４
【補正方法】変更
【補正の内容】
【０００４】
【課題を解決するための手段および発明の効果】
本発明は、上記に鑑み提案されたもので、賞品球として払出された遊技球を誘導する払出誘導部と、遊技盤面に発射できなかったファール球を誘導するファール球排出部と、前記払出誘導部の先端である払出排出部から排出された遊技球及び前記ファール球排出部から排出された遊技球を誘導する流入樋と、該誘導樋によって誘導された遊技球が流入する遊技球貯留部が形成された樹脂製の主要構成部材に外殻をなす樹脂製の表面構成部材を取り付けた構造で内枠の下方に装着された下皿ユニットとを備えた弾球遊技機において、
前記内枠の背面に沿って前記ファール球排出部を配し、その背後に重なるようにして前記払出排出部を配し、
前記流入樋は、底面と左右及び後の３壁面とからなり、前記遊技球貯留部に連通して前記主要構成部材に設けられた流入口との連接部と、前記払出排出部から落下してくる遊技球及び前記ファール球排出部から落下してくる遊技球を流入させるための上部とが開口した略箱状で、前記流入口に一体に設けられることで前記主要構成部と一体化されて、該流入口の軸に沿って前記主要構成部の背後に突出しており、
前記流入樋の前記落下してくる遊技球を流入させるための上部の開口の奥行き寸法は、前記重なり合った前記ファール球排出部と前記払出排出部の合計奥行き寸法に対応している
ことを特徴とする弾球遊技機である。
下皿ユニットの主要構成部材の裏面に流入樋を備えることにより、組立作業時には、内枠の前面から下皿ユニットの複数のボルトを挿入し、裏面から個別にナットを締結することのみで誘導樋が装着することができるので作業工程を削減することができる。したがって、生産性をあげることにもつながる。また、誘導樋を主要構成部材の裏面に備えることにより、下皿ユニットと誘導樋の位置決めをする必要がなくなるので連結部に段差が生じることもない。即ち、球詰まりや遊技者が怪我をするというようなトラブルを発生させる原因を完全に除去することができる。また、成形時には金型数を削減することができるので、コストダウンにもつながるものである。
【手続補正３】
【補正対象書類名】明細書
【補正対象項目名】００１５
【補正方法】変更
【補正の内容】
【００１５】
以上、実施例にしたがって、本発明の実施の形態について説明したが本発明はこのような実施例に限定されるものではなく、本発明の要旨を逸脱しない範囲でさまざまに実施できることは言うまでもない。
【手続補正書】
【提出日】平成18年2月15日(2006.2.15)
【手続補正１】
【補正対象書類名】明細書
【補正対象項目名】請求項１
【補正方法】変更
【補正の内容】
【請求項１】  プレイヤの操作によりゲームが行われ、ゲーム結果に応じて景品を払い出す遊戯装置であって、
表示データを表示する表示手段と、
景品が払い出されたゲーム数を所定の期間にわたって積算する払出ゲーム数積算手段と、
前記払出ゲーム数積算手段によって積算された景品払出ゲーム数を表示データとして前記表示手段に出力する表示制御手段とを備えることを特徴とする、遊戯装置。
【手続補正２】
【補正対象書類名】明細書
【補正対象項目名】請求項８
【補正方法】変更
【補正の内容】
【請求項８】  プレイヤの操作によりゲームが行われ、ゲーム結果に応じて景品を払い出す遊戯装置に接続される表示装置であって、
表示データを表示する表示手段と、
前記遊戯装置からの信号に基づいて、景品が払い出されたゲーム数を所定の期間にわたって積算する払出ゲーム数積算手段と、
前記払出ゲーム数積算手段によって積算された景品払出ゲーム数を表示データとして前記表示手段に出力する表示制御手段とを備えることを特徴とする、表示装置。
【手続補正３】
【補正対象書類名】明細書
【補正対象項目名】０００７
【補正方法】変更
【補正の内容】
【０００７】
本願発明の第１の側面によれば、プレイヤの操作によりゲームが行われ、ゲーム結果に応じて景品を払い出す遊戯装置であって、表示データを表示する表示手段と、景品が払い出されたゲーム数を所定の期間にわたって積算する払出ゲーム数積算手段と、払出ゲーム数積算手段によって積算された景品払出ゲーム数を表示データとして表示手段に出力する表示制御手段とを備えることを特徴とする、遊戯装置が提供される。
【手続補正４】
【補正対象書類名】明細書
【補正対象項目名】００１６
【補正方法】変更
【補正の内容】
【００１６】
本願発明の第２の側面によれば、プレイヤの操作によりゲームが行われ、ゲーム結果に応じて景品を払い出す遊戯装置に接続される表示装置であって、表示データを表示する表示手段と、遊戯装置からの信号に基づいて、景品が払い出されたゲーム数を所定の期間にわたって積算する払出ゲーム数積算手段と、払出ゲーム数積算手段によって積算された景品払出ゲーム数を表示データとして表示手段に出力する表示制御手段とを備えることを特徴とする、表示装置が提供される。
【手続補正５】
【補正対象書類名】明細書
【補正対象項目名】００３１
【補正方法】変更
【補正の内容】
【００３１】
具体的には、表示窓１７ａには、プレイヤのゲーム実行回数（表示窓１７ａの上には「挑戦」と記載される）、景品を獲得したゲーム数（表示窓１７ｂの上には「成功」と記載される）、およびゲームの実行回数に対する景品を獲得したゲーム数のパーセントの割合（表示窓１７ｃには「率」と記載される）がそれぞれ表示される。
【手続補正書】
【提出日】平成18年2月15日(2006.2.15)
【手続補正１】
【補正対象書類名】明細書
【補正対象項目名】０００３
【補正方法】変更
【補正の内容】
【０００３】
メダル機の中には、複数のプレイヤにおけるゲームの実行を統括的に制御し、個々のプレイヤに対してそれぞれメダルを払い出す遊戯装置、いわゆるマスメダル機がある。このマスメダル機においても、上記ペイアウト制御が行われており、すなわち、プレイヤがゲームを実行する各ゲーム機ごとに、プレイヤによって投入されたメダルを一定の確率（たとえば８０％）で払い戻す制御を行っている。そのため、各プレイヤには、統計的にほぼ同じ数のメダルがそれぞれ払い出されることとなる。
【手続補正２】
【補正対象書類名】明細書
【補正対象項目名】００２４
【補正方法】変更
【補正の内容】
【００２４】
ＲＡＭ１３は、プログラムの実行中における変数データを一時記憶するものであり、ワーキングエリアをプロセッサ１１に提供する。
【手続補正３】
【補正対象書類名】明細書
【補正対象項目名】図３
【補正方法】変更
【補正の内容】
【図３】
ゲーム機の回路ブロック図である。
【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】  所定のスライス幅を持つファンビームＸ線を被検体に照射するＸ線源と、
前記被検体を挟んでＸ線源に対向して配置され前記被検体の透過Ｘ線を検出するＸ線検出器と、
前記Ｘ線源とＸ線検出器が対向配置された状態で前記被検体の周りを回転させるスキャナと、
互いに対向するＸ線源とＸ線検出器又は被検体を搭載したベッドのいずれか一方を、前記スライス幅よりも狭い所定ピッチ距離移動する手段と、
その移動の前後の位置で、前記スキャナを回転させてＣＴ計測を行い、前記Ｘ線検出器から得られる検出信号を収集する手段と、
前記収集された検出信号から上記所定ピッチ相当のスライス幅の検出データを得る手段と、
前記得られた検出データから断層像を再構成する手段と、
を備えたことを特徴とするＸ線ＣＴ装置。
【請求項２】  上記Ｘ線源のファンビームＸ線は前記スライス幅方向に配置された複数列のＸ線検出器に対応したマルチスライス幅を持つものとし、上記収集手段は、予め定めた所定の列のＸ線検出器の位置でのＸ線検出信号を収集することを特徴とする請求項１に記載のＸ線ＣＴ装置。
【請求項３】  上記ピッチ距離移動は、前記スライス幅方向に、複数回行うことを特徴とする請求項１又は２に記載のＸ線ＣＴ装置。
【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】
静磁場、傾斜磁場および高周波磁場をそれぞれ発生する磁場発生手段と、前記各磁場の印加により被検体に生じる核磁気共鳴信号を検出する検出手段と、前記磁場発生手段および前記検出手段を制御する制御手段と、検出された磁気共鳴信号をもとに画像を再構成する手段と、再構成された画像を表示する表示手段とを備え、
前記制御手段は、前記被検体の撮像領域の温度変化を、該撮像領域から検出される前記核磁気共鳴信号の位相変化として検出する温度検出手段を備えた磁気共鳴画像診断装置において、
前記温度検出手段は、事前に検出された基準温度における水プロトンスペクトルを用いて前記位相変化を補正することを特徴とする磁気共鳴画像診断装置。
【請求項２】
請求項１に記載の磁気共鳴画像診断装置において、
前記温度検出手段は、前記水プロトンスペクトルの前記基準温度からシフト量に相当する位相変化量を、前記位相変化の分布を求める際のエリアシング除去の基準値として用いることを特徴とする磁気共鳴画像診断装置。
【手続補正２】
【補正対象書類名】明細書
【補正対象項目名】０００７
【補正方法】変更
【補正の内容】
【０００７】
【課題を解決するための手段】
上記課題を解決するため、本発明の一実施例では、位相マップと共に、温度を計測しようとする領域内で水プロトンのスペクトルを合わせて計測し、水プロトンのケミカルシフトΔδから式1により位相Δφを求め、これをエリアジング除去処理の基準値に用いる。ここで、Δδは基準温度(被写体の術前の温度)における水プロトンのピーク位置と、計測時のピーク位置との差であり、基準温度における水プロトンのピーク位置は予め計測しておいた値を用いることができる。
【手続補正３】
【補正対象書類名】明細書
【補正対象項目名】０００８
【補正方法】変更
【補正の内容】
【０００８】
即ち本発明のMRI装置は、静磁場、傾斜磁場および高周波磁場をそれぞれ発生する磁場発生手段と、前記各磁場の印加により被検体に生じる核磁気共鳴信号を検出する検出手段と、前記磁場発生手段および前記検出手段を制御する制御手段と、検出された磁気共鳴信号をもとに画像を再構成する手段と、再構成された画像を表示する表示手段とを備え、前記制御手段は、前記被検体の撮像領域の温度変化を、該撮像領域から検出される前記核磁気共鳴信号の位相変化として検出する温度検出手段を備え、前記温度検出手段は、事前に検出された基準温度における水プロトンスペクトルを用いて前記位相変化を補正する。
好ましくは、前記温度検出手段は、前記水プロトンスペクトルの前記基準温度からシフト量に相当する位相変化量を、前記位相変化の分布を求める際のエリアシング除去の基準値として用いる。